(57)【要約】【課題】長方形状の天板に梯子状の主脚を折り畳み可能に設け、天板または主脚に手掛け部材を折り畳み可能に取付けた可搬式作業台の前記長方形状の天板の短辺側に着脱可能な端部足場板を連結する場合に、先端を主脚のステップに嵌着する脚部を端部足場板に折り畳み自在に軸着し、端部足場板の端部を天板の上に重ねて結合させる可搬式作業台において、可搬式作業台の天板と端部足場板の連結を外れ防止装置で確実にロックできるとともに、外れ防止装置のロック状態を端部足場板の上から容易に判別できるようにして、安全性を向上させた。【解決手段】端部足場板１９の下面にバネの弾力で上方向に付勢され、バネの弾力に抗して下方に引っ張って回動させ、天板３の短辺側端を端部足場板１９とで挟着させる外れ防止片２６を設け、さらに、端部足場板１９には、外れ防止片２６の天板３への係合状態を観視できる窓孔３１を設けた。【選択図】  図２
2011196161.tif 000002
【特許請求の範囲】
【請求項１】
長方形状の天板に梯子状の主脚を折り畳み可能に設け、天板または主脚に手掛け部材を折り畳み可能に取付けた可搬式作業台の前記長方形状の天板の短辺側に着脱可能な端部足場板を連結する場合に、先端を主脚のステップに嵌着する脚部を端部足場板に折り畳み自在に軸着し、端部足場板の端部を天板の上に重ねて結合させる可搬式作業台において、
端部足場板の下面にバネの弾力で上方向に付勢され、バネの弾力に抗して下方に引っ張って回動させ、天板の短辺側端を端部足場板とで挟着させる外れ防止片を設け、
さらに、端部足場板には、外れ防止片の天板への係合状態を看視できる窓孔を設けたことを特徴とする可搬式作業台。
【請求項２】
外れ防止片に着色片を付設し、この着色片の色を端部足場板の窓孔から顕出させる請求項１記載の可搬式作業台。
【請求項３】
天板の短辺側端を端部足場板とで挟着した外れ防止片は、端部足場板の裏側に設けた支台に反対側端部を支えさせ、この支台面には、外れ防止片端部の係合状態を下側から観取できる着色部を設けた請求項１または請求項２記載の可搬式作業台。
【請求項４】
着色部は、外れ防止片端部が重なる部分を赤系統又は黄系統の色とし、その隣接する部分を青又は緑系統の色とし、外れ防止片の端部にはこの青又は緑系統の色の部分に繋がる同色の着色を施した請求項３記載の可搬式作業台。
【発明の詳細な説明】
【技術分野】
【０００１】
本発明は、建築工事現場、建築物の天井や壁面などの内外装作業、電気配線作業などで使用される可搬式作業台、詳しくは、長方形状の天板に梯子状の主脚を折り畳み可能に設けた可搬式作業台で、コーナーステージなどの補助ステージで端部足場板を連結するようにした可搬式作業台に関するものである。
【背景技術】
【０００２】
従来、建築物などの天井、壁面などの作業には、下記特許文献にもあるが、図１４に示すように、長方形状の天板３にステップ５をそなえた梯子状の主脚４、４を設けた可搬式作業台１が使用されている。
【特許文献１】特開２００４−１５０２６５号公報
【０００３】
可搬式作業台１は、使用後は、天板３とステップ５の間に取付けられたステイ７を屈曲部８で折り曲げて、作業台１を折り畳み、移動できるようになっている。
【０００４】
天板３または主脚４の上部に、昇降時の手掛けとして機能する手掛け部材６をＡ方向またはＢ方向に回動して、主脚４または天板３に沿って折り畳み可能に取付けている。
【０００５】
さらに、前記特許文献では、可搬式作業台１（天板３の隅角部または主脚４の上部の１〜４個所に折り畳み可能に設けた手掛け部材６をそなえたもの）をベースとし、図１２に示すように、天板３の短辺１０側に端部足場板１９を着脱可能に連接した。図１２中、１１は、天板３の両長片側に設けた手摺である。
【０００６】
このように長方形状の天板の短辺側に着脱可能な端部足場板１９を連設することにより、例えば、作業台の長手方向を壁面と対向させて行う壁面作業において、作業台と壁面との隙間をなくし、作業台１の（長手方向）端部での作業中の落下事故を防止することができる。また、足場台の長手方向の作業面積を簡単に増やすことができ、作業領域を広げることができる。
【０００７】
ところで、端部足場板１９は、例えば図１３に示すように、端部足場固定用部材２０を有する脚部２２、２２を取付け、端部足場固定用部材２０の溝部２１を作業台の主脚のステップ５に嵌着するとともに、端部足場板１９の端部を天板３と同一レベルとなるよう天板３の短片１０に重合して、ピンＰを孔Ｈに係合させて、端部足場板１９を天板３に固定する。
【発明の開示】
【発明が解決しようとする課題】
【０００８】
このように端部足場板１９の連結は、端部足場板１９の端部底部から下方に向けて固定用のピンＰを突設し、一方、天板３の先端裏面に形成してあるピン孔Ｈを形成し、端部足場板１９の端部を天板３の上に重ねてピン孔ＨにピンＰを上方から差し込むことで行う。
【０００９】
しかし、このような上方からピンを差し込むだけのピン結合では、はずみでぬけて出るおそれがある。
【００１０】
本発明の目的は前記従来例の不都合を解消し、可搬式作業台の天板に補助用の端部足場板を連結する場合、この連結を外れ防止装置で確実にロックできるとともに、外れ防止装置のロック状態を端部足場板の上から容易に判別できるようにして、安全性を向上させた可搬式作業台を提供するものである。
【課題を解決するための手段】
【００１１】
請求項１記載の本発明は前記目的を達成するため、長方形状の天板に梯子状の主脚を折り畳み可能に設け、天板または主脚に手掛け部材を折り畳み可能に取付けた可搬式作業台の前記長方形状の天板の短辺側に着脱可能な端部足場板を連結する場合に、先端を主脚のステップに嵌着する脚部を端部足場板に折り畳み自在に軸着し、端部足場板の端部を天板の上に重ねて結合させる可搬式作業台において、端部足場板の下面にバネの弾力で上方向に付勢され、バネの弾力に抗して下方に引っ張って回動させ、天板の短辺側端を端部足場板とで挟着させる外れ防止片を設け、さらに、端部足場板には、外れ防止片の天板への係合状態を看視できる窓孔を設けたことを要旨とするものである。
【００１２】
請求項１記載の本発明によれば、バネの弾力で上方向に付勢されている外れ防止片で構成される外れ防止装置を設けることで、この外れ防止片をバネの弾力に抗して下方に引っ張って、外れ防止片を端部足場板と天板との接合箇所に跨るように回転させて下方からあてがいロック位置に係止してロックすることができる。
【００１３】
ところで、外れ防止装置が端部足場板の裏面に配設されており、外れ防止片をロック位置に係止するための操作も端部足場板の裏面で行うため、不慣れな者が作業台の組立てを行ったりすると、外れ防止装置に気付かなかったり、外れ防止装置をロック状態にするのを忘れたりして、ロックされないままの状態で作業台が使用されるおそれがある。
【００１４】
そして、外れ防止装置がロック状態にあるか否かは端部足場板の裏面を覗き込まないと判明できないため、点検しにくく、ロックされていない危険な状態が放置されやすい。
【００１５】
本発明では、端部足場板には、外れ防止片の天板への係合状態を看視できる窓孔を設けたので、可搬式作業台の天板に補助用の端部足場板を連結する場合、端部足場板の連結をロックする外れ防止装置がロック状態にあるかを容易に判別でき、また、ロック操作も端部足場板の上から容易に行えて安全性を向上できる。
【００１６】
請求項２記載の本発明は、外れ防止片に着色片を付設し、この着色片の色を端部足場板の窓孔から顕出させることを要旨とするものである。
【００１７】
請求項２記載の本発明によれば、窓孔から外れ防止片の天板への係合状態を看視できるのに、外れ防止片に着色片を付設し、この着色片の色を窓孔から顕出させるようにしたので、窓孔の色を見れば判別でき、端部足場板の上から確実に認識できる。
【００１８】
請求項３記載の本発明は、天板の短辺側端を端部足場板とで挟着した外れ防止片は、端部足場板の裏側に設けた支台に反対側端部を支えさせ、この支台面には、外れ防止片端部の係合状態を下側から観取できる着色部を設けたことを要旨とするものである。
【００１９】
請求項３記載の本発明によれば、外れ防止片の天板への係合状態を端部足場板の上からのみならず、下側からも観取できるように配慮したものであり、天板の短辺側端を端部足場板とで挟着した外れ防止片は、端部足場板の裏側に設けた支台に反対側端部を支えられるが、この状態を支台面に設けた着色部で確認できる。
【００２０】
請求項４記載の本発明は、着色部は、外れ防止片端部が重なる部分を赤系統又は黄系統の色とし、その隣接する部分を青又は緑系統の色とし、外れ防止片の端部にはこの青又は緑系統の色の部分に繋がる同色の着色を施したことを要旨とするものである。
【００２１】
請求項４記載の本発明によれば、外れ防止片の天板への係合状態にない場合は、赤系統又は黄系等の色の着色部が露出して、その事が確認でき、係合状態にある場合には、赤系統又は黄系等の色の着色部が外れ防止片端部で隠され、外れ防止片端部の青又は緑系統の色の着色と支台面の青又は緑系統の色の着色部が連続するので、外れ防止装置がロック状態にあることを確実に知ることができる。
【発明の効果】
【００２２】
以上述べたように本発明の可搬式作業台は、天板に補助用の端部足場板を連結する場合、この連結を外れ防止装置で確実にロックできるとともに、外れ防止装置のロック状態を端部足場板の上から容易に判別できるようにして、安全性を向上させることができるものである。
【発明を実施するための最良の形態】
【００２３】
以下、図面について本発明の実施形態を詳細に説明する。図１は本発明の可搬式作業台の端部足場板の連結構造の実施形態を示すロック状態の正面図、図２は同上端部足場板の平面図、図３は端部足場板の側面図で、図中１は可搬式作業台である。
【００２４】
可搬式作業台１は図１３、図１４において前記従来例で示したように、天板３にステップ５をそなえた梯子状の一対の主脚４、４を設けたもので、主脚４、４は天板３の端に軸着され、開いた状態では下方に向かって外側に傾斜する。
【００２５】
図中１９は、前記天板３の端に連結する補助用のステージ板としての端部足場板で、先端の端部足場固定用部材２０を主脚４のステップ５に嵌着する脚部２２、２２を折り畳み自在に本体１９ａの一端に軸着し、また、他端側である天板３への連結側に連結突片２３を水平に突設し、この連結突片２３の下部からピン２４を突設した。
【００２６】
脚部２２、２２は、外管２２ａと中子２２ｂとからなる伸縮構造であり、係合孔に止めるストッパー２２ｃを有する。
【００２７】
端部足場固定用部材２０は溝部２１を有するチャンネル部材である。１８はこの端部足場固定用部材２０に設けるネジ形式のストッパーである。
【００２８】
なお、端部足場板１９の端部と同一レベルとなるよう天板３の短片には、前記ピン２４が挿入する孔Ｈが形成される。
【００２９】
前記本体１９ａの連結側の端部である連結突片２３の近傍の中央位置に、外れ防止装置２５を設ける。
【００３０】
この外れ防止装置２５は、基本構造として図５にも示すように、端部足場板１９の底面端部と天板３の底面端部との突合せ部に下方から係脱し、水平方向に回転自在かつ上下方向にスライド自在に配設された外れ防止片２６と、外れ防止片２６を回動させる軸２７と、外れ防止片２６に設けられ、軸２７に対し回転するコ字形またはＬ字形の軸受け２８と、軸受け２８と軸２７間で、軸２７に巻回され、一端が軸受け２８に当たり、他端が軸２７の先端に固定されて、軸受け２８や外れ防止片２６を端部足場板１９の底面端部側に付勢する伸びバネであるコイルバネ２９とからなる。
【００３１】
また、端部足場板１９の裏側には支台３０を設ける。天板３の短辺側端を端部足場板１９とで挟着した外れ防止片２６は、この支台３０に反対側端部を支えさせるものとしたことで、コイルバネ２９の伸び弾性で、挟着力を確実に発生させることができる。図示の例は支台３０は短尺な矩形管により構成した。
【００３２】
さらに、支台３０の支台面には、外れ防止片２６の端部の係合状態を下側から観取できる着色部を設けた、図６はその例を示すもので、着色部は、外れ防止片２６の端部が重なる部分を警告色Ｘである赤系統又は黄系等の色とし、その隣接する部分を安全色Ｙである青又は緑系統の色とし、外れ防止片２６の端部にはこの青又は緑系統の色の部分に繋がる同色の安全色Ｙである着色を施した。
【００３３】
これに加えて、端部足場板１９には、外れ防止片２６の天板３への係合状態を看視できる窓孔３１を設けた。図示の例は窓孔３１は円形の場合を示したが、これに限定されるものでなく、楕円形、長四角形等でもよい。
【００３４】
窓孔３１は、外れ防止片２６の位置が確認できるものであればよく、例えば、外れ防止片２６の縁が覗けるものでもよいが、外れ防止片２６に着色片を付設し、この着色片の色を前記端部足場板１８の窓孔３１から顕出させることが望ましい。
【００３５】
図６、図７の例では、前記着色片は外れ防止片２６とともに回転する前記軸受け２８に設ける板であり、図示の例では円盤３２とした。なお、円盤以外の分割片でもよい。
【００３６】
図７に示すように該円盤３２には、上面中央部分は帯状に安全色Ｙである青又は緑系統の色とし、その隣接する部分、すなわち両側の円弧部分は警告色Ｘである赤系統又は黄系等の色とする。
【００３７】
先に、図１１に示すようなコーナーにおいて、可搬式作業台１に端部足場板１９を連結する場合について説明する。端部足場板１９を設けるのは、壁面に沿って作業する場合、安定性を確保するために主脚４が傾斜していることから生じる天板３との隙間を埋めて作業しやすくするためである。
【００３８】
端部足場板１９は連結突片２３を天板３の短辺側端に重合わせ、連結突片２３の下部からピン２４を天板３の孔Ｈに挿入させ、また、脚部２２、２２を適宜な長さとし、端部足場固定用部材２０の溝部２１を作業台１の主脚４のステップ５に嵌着する。
【００３９】
脚部２２、２２の長さは、ストッパー２２ｃで固定し、端部足場固定用部材２０のステップ５への係合はストッパー１８で固定する。
【００４０】
これで、端部足場板１９は可搬式作業台１に付設されるが、次に、端部足場板１９を天板３に接合して連結した状態で、端部足場板１９の外れを防止する方法を説明する。
【００４１】
図５の（ｂ）は、ロックする前の解除状態であり、外れ防止２６は、天板３と支台３０との間で、これらに触らずに位置し、この状態でコイルバネ２９の弾力で軸受け２８および外れ防止２６が上方に押し上げられている。
【００４２】
この状態では図７（ｂ）に示すように、端部足場板１９の着色片である円盤３２の警告色Ｘである赤系統又は黄系等の色が端部足場板１９の窓孔３１に現れ、これを端部足場板１９の上方から観視できるので、ロックされていないことがひと目で容易にわかる。
【００４３】
また、この状態では図６（ｂ）に示すように、支台３０の支台面でも外れ防止片２６の端部が重ならずに、警告色Ｘである赤系統又は黄系等の色が表にでるので、下側からも、ロックされていないことが色で容易にわかる。
【００４４】
端部足場板１９を天板３にロックするには、前記の状態から外れ防止片２６をつかんでコイルバネ２９の弾性に抗して引き下げ、これを水平方向に回動しながら天板３の短辺側端を端部足場板１６とで挟着し、かつ、反対側端部を支台３０に載せる。
【００４５】
これにより、外れ防止片２６にはこの状態でもなおコイルバネ２９の弾力によって上に引上げられる力が作用しているから、バネ圧による摩擦により外れ防止の位置に係止され、さらに回転防止の突起を付ける事によりそのままでは回転しないから、外れ防止機能が発揮される。
【００４６】
ロック状態では、外れ防止片２６は、図１や図５（ａ）に示すように天板３と端部足場板１９の両方に跨ってその下面に当接しているから、天板３の浮き上がりを防止でき、これが外れることはない。
【００４７】
そして、端部足場板１９の窓孔３１には、円盤３２の安全色Ｙである青又は緑系統の色が顕出し、これが端部足場板１９の上方、すなわち、端部足場板１９に作業員が載った状態でも確認できる。
【００４８】
また、外れ防止片２６はその端部が支台３０の上に載り、警告色Ｘである赤系統又は黄系等の色の着色部が外れ防止片２６の端部で隠され、外れ防止片２６の端部の青又は緑系統の色の着色と支台３０の面の青又は緑系統の色の着色部が連続するので、外れ防止装置がロック状態にあることを下側からも色で確実に知ることができる。
【００４９】
なお、このように下側から外れ防止片２６のロック状態もしくは非ロック状態を色で確認するのは、外れ防止装置の操作を下側から行う場合の、操作時の確認として効果が大であり、一方、窓孔３１から確認するのは、前記のように作業時に効果が大である。
【００５０】
また、窓孔３１に顕出する警告色Ｘである赤系統又は黄系等の色は円盤３２の両側の円弧部分にあるので、外れ防止片２６の回転方向がいずれでも対応できる。
【００５１】
端部足場板１９上で作業を行っても端部であることを足底感覚で認識でき、ここからの踏み外しによる転落を防止できるものとして、図８に示すように突起３５を設けた。
【００５２】
突起３５としては、端部足場板１９に形成する孔３６に着脱自在に挿入されるキャップで構成する。
【００５３】
キャップは、材質として耐蝕性、強度、成形性に優れたナイロン樹脂を用い、頭部を直径１７ｍｍ程度、高さ５ｍｍ程度のボタン状の突起３５ａに形成し、下部を正面矢印形状の脚部３５ｂに形成したもので、ボタン状の突起３５ａの上面は平坦部に形成し、周辺部を円弧状に形成して可能な限り各部にわたって高さ５ｍｍ程度の厚みが確保できるようにした。
【００５４】
また、脚部３５ｂは図示の例では中心の軸脚３５ｄの下部から左右対称に、上部が相互に離間するように一対に立ち上げたもので、上部には端部足場板１９の裏面への係止段部３５ｃを肉厚とすることで形成した。さらに、軸脚３５ｄの上部分は太径部３５ｅに形成し強度を確保した。
【００５５】
使用法について説明すると、キャップの脚部３５ｂを端部足場板１９に形成する孔３６に上方から差し込めば、脚部３５ｂの上部分が弾性によって軸脚３５ｄの側にすぼまりながら孔３６に挿入され、裏面に突出する。この突出状態で脚部３５ｂは弾性により再び上部が広がり、孔３６の周囲位置で端部足場板１９の裏面に係止する。この状態で頭部であるボタン状の突起３５ａが端部足場板１９の上面に突出する。
【００５６】
キャップを孔３６に差し込む際に、前記のように脚部３５ｂの上部分が弾性によって軸脚３５ｄの側にすぼまることで、脚部３５ｂの下部である軸脚３５ｄとの連成部が撓み、この箇所が脆弱部となりやすいが、軸脚３５ｄの上部分が太径部３５ｅに形成されていることにより、脚部３５ｂの上部が前記太径部３５ｅに当接することで、脚部３５ｂのそれ以上の撓みが阻止されるから、この脚部３５ｂの下部である軸脚３５ｄとの連成部が撓みにより脆弱化することを防止できる。
【００５７】
また、孔３６は端部足場板１９の適宜位置に形成しておけば、必要な数だけ、また必要な箇所にのみ現場で任意にキャップを挿着できる。使用箇所を変更したりする場合は、端部足場板１９の裏面で脚部３５ｂを軸脚３５ｄの側にすぼめれば、キャップを孔３６から簡単に引き抜くことができる。
【００５８】
このようにして端部足場板１９に取付けたキャップは、端部足場板１９の端部近傍にそってその端部近傍で端部足場板１９上に突出するから、作業中に端部足場板１９の床面を見ずに作業を行っても、端部足場板１９の端部にさしかかってキャップのボタン状の突起３５ａを足底で踏めば、踏んだ足裏感覚で端部足場板１９の端部であることを認識でき、注意が喚起されて端部足場板１９からの踏み外しを防止できる。
【００５９】
この際、キャップのボタン状の突起３５ａは前記のように突出していることを足裏に十分伝達できるだけの大きさと厚みを備えているから、その存在を確実に足裏に伝えられる。
【図面の簡単な説明】
【００６０】
【図１】本発明の可搬式作業台の端部足場板の連結構造の実施形態を示すロック状態の正面図である。
【図２】本発明の可搬式作業台の端部足場板の平面図である。
【図３】本発明の可搬式作業台の端部足場板の側面図である。
【図４】畳んだ状態の端部足場板の正面図である。
【図５】外れ防止装置のロック状態と非ロック状態を示す正面図である。
【図６】外れ防止装置のロック状態と非ロック状態を示す端部足場板の底面図である。
【図７】外れ防止装置のロック状態と非ロック状態を示す説明図である。
【図８】端部足場板を設けた本発明の可搬式作業台の平面図である。
【図９】踏み外し防止用突起であるキャップの側面図である。
【図１０】踏み外し防止用突起であるキャップの取り付けを示す側面図である。
【図１１】可搬式作業台に端部足場板を連結した状態の正面図である。
【図１２】端部足場板を設けた可搬式作業台を示す斜視図である。
【図１３】端部足場板の連設方式の一実施例を示す一部斜視図である。
【図１４】手掛け部材付き可搬式作業台を示す斜視図である。
【符号の説明】
【００６１】
１…可搬式作業台              ３…天板
４…主脚                      ５…ステップ
６…手掛け部材                ７…ステイ
８…屈曲部                    ９…天板の長辺
１０…天板の短辺              １１…手摺
１８…ストッパー              １９…端部足場板
１９ａ…本体                  ２０…端部足場固定用部材
２１…溝部                    ２２…脚部
２２ａ…外管                  ２２ｂ…中子
２２ｃ…ストッパー            ２３…連結突片
２４…ピン                    ２５…外れ防止装置
２６…外れ防止片              ２７…軸
２８…軸受け                  ２９…コイルバネ
３０…支台                    ３１…窓孔
３２…円盤                    ３５…突起
３５ａ…ボタン状の突起        ３５ｂ…脚部
３５ｃ…係止段部              ３５ｄ…軸脚
３５ｅ…太径部
【図１】
2011196161.tif 000003
【図２】
2011196161.tif 000004
【図３】
2011196161.tif 000005
【図４】
2011196161.tif 000006
【図５】
2011196161.tif 000007
【図６】
2011196161.tif 000008
【図７】
2011196161.tif 000009
【図８】
2011196161.tif 000010
【図９】
2011196161.tif 000011
【図１０】
2011196161.tif 000012
【図１１】
2011196161.tif 000013
【図１２】
2011196161.tif 000014
【図１３】
2011196161.tif 000015
【図１４】
2011196161.tif 000016